(57)【要約】【課題】握持性を向上させることができ、操作フィーリングの向上を図る。【解決手段】支軸２０を介して回転自在に支持される芯材３１と、弾性変形可能な材料で形成され、芯材３１に外嵌される筒状の把持部材３５と、を備えた魚釣用リールのツマミ３０であって、芯材３１には、芯材３１の外周面において支軸２０の軸線方向に延在する凹部３２が形成されており、凹部３２には、弾性変形した把持部材３５の一部が挿入可能である構成とした。【選択図】図２
2015047109.tif 000002
【特許請求の範囲】
【請求項１】
支軸を介して回転自在に支持される芯材と、弾性変形可能な材料で形成され、前記芯材に外嵌される筒状の把持部材と、を備えた魚釣用リールのツマミであって、
前記芯材には、前記芯材の外周面において前記支軸の軸線方向に延在する凹部が形成されており、
前記凹部には、弾性変形した前記把持部材の一部が挿入可能であることを特徴とする魚釣用リールのツマミ。
【請求項２】
前記凹部は、湾曲凹状に形成されていることを特徴とする請求項１に記載の魚釣用リールのツマミ。
【請求項３】
前記芯材には、前記把持部材の内面へ係合し、前記把持部材が前記芯材から抜ける方向に移動するのを規制する係止部が設けられていることを特徴とする請求項１または請求項２に記載の魚釣用リールのツマミ。
【発明の詳細な説明】
【技術分野】
【０００１】
本発明は、魚釣用リールのツマミに関する。
【背景技術】
【０００２】
一般に、スピニングリールや両軸リール等の魚釣用リールにおいて、ハンドル軸の先端部にはハンドルが取り付けられている。ハンドルは、ハンドルアームと、ハンドルアームの先端に取り付けられるツマミとを有している（例えば、特許文献１参照）。
【０００３】
特許文献１のツマミは、ハンドルアームに支軸を介して回転自在に支持される芯材と、芯材に外嵌される筒状の把持部材と、を備えて構成されている。
このようなツマミは、接着剤を利用して芯材に把持部材が固定される。
【先行技術文献】
【特許文献】
【０００４】
【特許文献１】特開２０１１−４６８１号公報
【発明の概要】
【発明が解決しようとする課題】
【０００５】
ところで、魚釣用リールのツマミに対し、ツマミ操作時の操作フィーリングを高めるために、握持性をさらに向上させたいという要望があった。
【０００６】
本発明は、前記課題を解決するためになされたものであり、握持性を向上させることができ、操作フィーリングの向上を図ることができる魚釣用リールのツマミを提供することを課題とする。
【課題を解決するための手段】
【０００７】
このような課題を解決する本発明の魚釣用リールのツマミは、支軸を介して回転自在に支持される芯材と、弾性変形可能な材料で形成され、前記芯材に外嵌される筒状の把持部材と、を備えた魚釣用リールのツマミであって、前記芯材には、前記芯材の外周面において前記支軸の軸線方向に延在する凹部が形成されており、前記凹部には、前記把持部材を握持した際に前記把持部材の一部が挿入可能であることを特徴とする。
【０００８】
この魚釣用リールのツマミによれば、支軸の軸線方向に延在する凹部により、径方向内側へ把持部材が弾性変形することが許容される。これにより、例えば、魚釣用リールのハンドルアームに備わるツマミに対して適用した場合には、巻き取り操作時等に把持部材を手の指で握持すると、凹部に沿って把持部材が弾性変形して凹む状態となる。
【０００９】
また、前記凹部を湾曲凹状に形成することで、把持部材に対して指がフィットし易くなる。
【００１０】
また、前記芯材に、前記把持部材の内面へ係止される係止部を設けるとよい。このようにすることで、係止部が把持部材の移動を規制する。
【発明の効果】
【００１１】
本発明の魚釣用リールのツマミによれば、把持部材を手の指で握持すると、凹部に沿って把持部材が弾性変形して凹む状態となるので、その弾性変形を利用して指で確実にツマミを挟持することができる。したがって、握持性を向上させることができる。
また、指で確実にツマミを挟持することができるので、例えば、魚釣用リールのハンドルアームに備わるツマミに対して適用した場合には、ハンドルを回転操作する際に滑りを抑制することも可能となる。
【００１２】
また、湾曲凹状に凹部が形成されることで、把持部材に対して指がフィットし易くなるので、握持性を向上させることができるとともに、操作フィーリングが向上する。
【００１３】
また、芯材に係止部を設けることで、係止部が把持部材の移動を規制するので、芯材から把持部材が脱落するのを防止することができる。これにより、取付強度を高めることができる。
【図面の簡単な説明】
【００１４】
【図１】本発明の第１実施形態に係る魚釣用リールのツマミが適用される魚釣用リールを示した図であり、（ａ）は側面図、（ｂ）は後面図である。
【図２】（ａ）は芯材の断面図、（ｂ）は芯材の側面図である。
【図３】（ａ）はツマミの断面図、（ｂ）はツマミの側面図である。
【図４】（ａ）は組付時の様子を示す斜視図、（ｂ）は組付後のツマミを示す斜視図である。
【図５】本発明の第２実施形態に係る魚釣用リールのツマミに適用される芯材を示す図であり、（ａ）は前面図、（ｂ）は側面図である。
【図６】（ａ）はツマミの断面図、（ｂ）はツマミの側面図である。
【図７】本発明の第３実施形態に係る魚釣用リールのツマミに適用される芯材を示す図であり、（ａ）は前面図、（ｂ）は側面図である。
【図８】（ａ）はツマミの断面図、（ｂ）はツマミの側面図である。
【図９】本発明の第４実施形態に係る魚釣用リールのツマミに適用される芯材を示す図であり、（ａ）は前面図、（ｂ）は側面図である。
【図１０】（ａ）はツマミの断面図、（ｂ）はツマミの側面図である。
【図１１】本発明の第５実施形態に係る魚釣用リールのツマミに適用される芯材を示す図であり、（ａ）は断面図、（ｂ）は側面図である。
【図１２】（ａ）はツマミの断面図、（ｂ）はツマミの側面図である。
【図１３】（ａ）は図１１（ａ）におけるＡ−Ａ線断面図、（ｂ）（ｃ）は変形例の断面図である。
【発明を実施するための形態】
【００１５】
以下、本発明に係る魚釣用リールのツマミの実施形態について図面を参照しながら説明する。なお、以下の説明において、「前後」「左右」を言うときは、図１に示した方向を基準とする。なお、説明において、同一の要素には同一の符号を用い、重複する説明は省略する。
【００１６】
（第１実施形態）
図１（ａ）に示すように、魚釣用リールとしてのスピニングリール１は、リール本体１ａと、リール本体１ａから延出する脚部１ｂと、脚部１ｂの端部に形成されかつ図示しない釣竿に取り付けられる竿取付部１ｃとを有している。リール本体１ａ内には、ハンドル５が固定される駆動軸としてのハンドル軸２が回転可能に支持されている。ハンドル軸２にはドライブギア３が固定されており、このドライブギア３には、ハンドル軸２に対して直交する方向に延びかつリール本体１ａに軸受を介して回転可能に支持された管状のピニオンギア１３が噛合している。このピニオンギア１３の先端部には、図示しないロータナットを介して、ベール６および釣糸案内装置を備えたロータ８が一体的に取り付けられている。
【００１７】
リール本体１ａ内には、ハンドル軸２と直交する方向にスプール軸９が延在している。スプール軸９は、ピニオンギア１３を貫通してピニオンギア１３と同心的に配されており、ハンドル軸２と直交する前後方向に進退動可能に設けられている。また、スプール軸９の先端部には釣糸が巻回されるスプール１０が取り付けられている。
【００１８】
ドライブギア３には、ピニオンギア１３を介して図示しないオシレーティング機構が係合している。このオシレーティング機構は、ピニオンギア１３と噛み合って回転するウォームシャフト（トラバースカム軸）と、このウォームシャフトの溝と噛み合いかつスプール軸９に対してその軸線方向に移動不能に取り付けられたスライダとからなり、ハンドル軸２がハンドル５の回転操作によって回転されると、スプール軸９を軸線方向に沿って往復駆動（前後動）される。
【００１９】
このような構成では、ハンドル５を回転操作してハンドル軸２を回転させると、オシレーティング機構を介してスプール軸９に取り付けられたスプール１０が前後に往復動する。これとともに、ドライブギア３およびピニオンギア１３を介してロータ８が回転駆動される。
【００２０】
図１（ｂ）に示すように、ハンドル軸２は、ハンドル５を左右で付け替え可能とするべく、リール本体１ａ内でスプール軸９（図１（ａ）参照）と交差する左右方向に延びている。具体的には、ハンドル軸２の両側部は図示しない軸受を介してリール本体１ａに回転可能に支持されるとともに、ハンドル５が固定されるハンドル軸２の左右両端部は、リール本体１ａの左右両側に臨むべく、リール本体１ａの左右両側に形成された開口部に位置決めされている。
【００２１】
一方、ハンドル軸２に着脱自在に取り付けられるハンドル５は、ハンドル軸２に連結されるハンドルアーム５ａと、ハンドルアーム５ａの先端にピン５ｂで取り付け固定された支軸２０（図２（ａ）参照）と、支軸２０に回転自在に抜け止めされたツマミ３０とを含んで構成される。
【００２２】
以下では、本発明をハンドルアーム５ａのツマミ３０に適用した例について説明する。
図３（ａ）に示すように、ツマミ３０は、支軸２０に回転自在に抜け止め装着される金属製あるいは樹脂製等の芯材３１と、芯材３１の外周面に外嵌され、弾性変形可能な把持部材３５とを備えて構成されている。
芯材３１は、軸受２１，２２を介して支軸２０を取り囲むように支軸２０に回転自在に取り付けられ、支軸２０の端部に螺合されるねじ２３で支軸２０に固定されている。
【００２３】
芯材３１は、図２（ａ）（ｂ）に示すように、円筒状を呈している（図４（ａ）参照）。芯材３１の外周面には、外周面において支軸２０の軸線方向に延在する凹部３２が形成されている。凹部３２は、図２（ａ），図４（ａ）に示すように、前後方向から見たときに湾曲凹状に形成され、かつ、芯材３１の外周面の周方向全体に形成されている。
芯材３１の先端側において、凹部３２の端部には、芯材３１の外周面３１ａから突出する係止部３４が設けられている。係止部３４は、軸方向に切った断面が断面鋭角状に切り立っており、図３（ａ）に示すように、把持部材３５の内面３５ａに食い込むように当接する。
【００２４】
芯材３１は、支軸２０が挿通配置さる挿通孔３１ｂを有している。挿通孔３１ｂの開口には、図２，図３に示すように、キャップ２５が装着される。また、芯材３１の基端にはフランジ部３１ｄが形成されている。フランジ部３１ｄには、把持部材３５の端部が当接する（図３（ａ）参照）。
【００２５】
把持部材３５は、図４（ａ）（ｂ）に示すように、円筒形状を呈している。把持部材３５は、ＥＶＡ樹脂（エチレン酢酸ビニル共重合樹脂）等の合成樹脂を切削加工することによって形成され、側面視円形の外形状を有する。
把持部材３５の端部開口縁部３５ｄは、図３（ａ）に示すように面取りされている。また、把持部材３５の側端面３５ｅは、芯材３１の先端面３１ｅと面一となるように形成されている。
なお、把持部材３５は、弾性変形可能なゴム部材やコルク等の材料を用いて形成されていてもよい。
【００２６】
このような把持部材３５は、図４（ａ）（ｂ）に示すように、接着剤（不図示）を利用して芯材３１に固定される。芯材３１に把持部材３５が外嵌されると、図３（ａ）に示すように、凹部３２が把持部材３５の内面３５ａで覆われる。これにより、芯材３１と把持部材３５との間には、凹部３２の外周面３２ａと把持部材３５の内面３５ａとで囲われるスペースＳが形成される。スペースＳには、把持部材３５の対向する部分が弾性変形により挿入可能（入り込み可能、侵入可能）である。つまり、スペースＳは、径方向内側へ把持部材３５が弾性変形することを許容する。
また、凹部３２の端部に設けられた係止部３４は、把持部材３５の内面３５ａに食い込むように当接する。
【００２７】
なお、凹部３２は、指の腹によって押された部分の把持部材３５が入り込む程度に、支軸２０の軸線方向に延在していればよい。
また、凹部３２の周方向の幅は、凹部３２内に把持部材３５が僅かでも入り込む大きさであればよい。このような大きさとすることにより、凹部３２内に把持部材３５が入り込んだ感触を、把持部材３５を通して指で感知することができ、操作フィーリングが向上する。
【００２８】
以上説明した本実施形態の魚釣用リールのツマミ３０によれば、把持部材３５を手の指で握持すると、凹部３２に沿って把持部材３５が弾性変形して凹む状態となるので、その弾性変形を利用して指で確実にツマミ３０（把持部材３５）を挟持することができる。したがって、握持性を向上させることができる。
また、指で確実にツマミ３０を挟持することができるので、ハンドル５を回転操作する際に滑りが抑制される。
【００２９】
また、湾曲凹状に凹部３２が形成されているので、把持部材３５に対して指がフィットし易くなる。したがって、握持性を向上させることができるとともに、操作フィーリングが向上する。
【００３０】
また、芯材３１に設けられた係止部３４が把持部材３５の内面３５ａに食い込むので、把持部材３５の軸線方向の移動が規制され、芯材３１から把持部材３５が脱落するのを防止することができる。これにより、取付強度を高めることができる。
【００３１】
（第２実施形態）
次に図５、図６を参照して第２実施形態の魚釣用リールのツマミについて説明する。
本実施形態が前記第１実施形態と異なるところは、芯材３１Ａを大径部３１１と小径部３１２とにより形成して、小径部３１２に凹部３２Ａを設けた点にある。
【００３２】
芯材３１Ａは、左右一対の大径部３１１と、大径部３１１よりも小径とされ、大径部３１１間に設けられた小径部３１２とを有している。一対の大径部３１１と小径部３１２との径差により、小径部３１２の周りには、凹部３２Ａが形成されている。一対の大径部３１１の外周面３１ａは、図６（ａ）に示すように、把持部材３５の内面３５ａにそれぞれ当接し、小径部３１２の外周面３２ａは、把持部材３５の内面３５ａと間隔を空けて位置する。これにより、芯材３１Ａと把持部材３５との間には、凹部３２Ａの外周面３２ａと把持部材３５の内面３５ａとで囲われるスペースＳが形成される。スペースＳには、把持部材３５の対向する部分が弾性変形により挿入可能である。つまり、スペースＳは、径方向内側へ把持部材３５が弾性変形することを許容する。
【００３３】
本実施形態の魚釣用リールのツマミ３０によれば、把持部材３５を手の指で握持すると、凹部３２Ａに沿って把持部材３５が弾性変形して凹む状態となるので、その弾性変形を利用して指で確実にツマミ３０（把持部材３５）を挟持することができる。したがって、握持性を向上させることができる。
また、指で確実にツマミ３０を挟持することができるので、ハンドル５を回転操作する際に滑りが抑制される。
【００３４】
（第３実施形態）
図７、図８を参照して第３実施形態の魚釣用リールのツマミについて説明する。
本実施形態は前記第２実施形態の変形例であり、芯材３１Ｂの一対の大径部３１１間にさらに大径部３１３を設けたものである。
大径部３１３は、一対の大径部３１１と同径であり、一対の大径部３１１から略等間隔の位置に設けられている。大径部３１３の左右には、分割された２つの凹部３２Ｂが形成される。
【００３５】
本実施形態の魚釣用リールのツマミ３０によれば、把持部材３５を手の指で握持すると、２つの凹部３２Ｂに沿って把持部材３５が弾性変形して凹む状態となるので、その弾性変形を利用して指で確実にツマミ３０（把持部材３５）を挟持することができる。したがって、握持性を向上させることができる。
【００３６】
また、指で確実にツマミ３０を挟持することができるので、ハンドル５を回転操作する際に滑りが抑制される。
【００３７】
（第４実施形態）
次に図９、図１０を参照して第４実施形態の魚釣用リールのツマミについて説明する。
本実施形態が前記第１〜第３実施形態と異なるところは、芯材３１Ｃの先端側の大径部３１５を基端側の大径部３１１よりもさらに大径に形成した点にある。
【００３８】
大径部３１５の外径は、把持部材３５の内面３５ａの内径よりも大きく設定されている。また、大径部３１５に連続する凹部３２Ｃの先端部側も把持部材３５の内面３５ａの内径よりも大きく形成されている。
これにより、芯材３１Ｃに把持部材３５を外嵌すると、大径部３１５の外周面３１５ａおよび凹部３２Ｃの外周面３２ａの一部が把持部材３５の内面３５ａに当接し、内面３５ａ側から把持部材３５を押圧する。これにより、押圧された部分に対応する把持部材３５の外形状が、支軸２０の軸線方向と直交する方向に膨出変形する（図１０（ａ）参照）。
なお、把持部材３５は、芯材３１Ｃに外嵌する過程で膨出変形する。
【００３９】
本実施形態の魚釣用リールのツマミ３０によれば、把持部材３５を手の指で握持すると、凹部３２Ｃに沿って把持部材３５が弾性変形して凹む状態となるので、その弾性変形を利用して指で確実にツマミ３０（把持部材３５）を挟持することができる。したがって、握持性を向上させることができる。
【００４０】
また、大径部３１１ａによる押圧により、把持部材３５を芯材３１Ｃに好適に固定することができる。したがって、接着剤が不要であり、ツマミ３０の組み立てが簡単である。これにより、コストを低減することができる。しかも、把持部材３５は、その弾性により、芯材３１Ｃを締め付けるように取り付けられるので、芯材３１Ｃに対する把持部材３５の取付強度を高めることができる。
また、芯材３１Ｃに対する把持部材３５の取付強度を高めることができるので、芯材３１Ｃの軸周りに把持部材３５が滑るのを好適に防止することができる。これにより、操作性の向上を図ることができる。
【００４１】
（第５実施形態）
図１１〜図１３を参照して第５実施形態の魚釣用リールのツマミについて説明する。
本実施形態が前記第１〜第４実施形態と異なるところは、芯材３１Ｄの周方向に所定間隔を空けて、凹部３２Ｄが形成されている点にある。
【００４２】
凹部３２Ｄは、図１３（ａ）に示すように、周方向に等間隔で二つ設けられている。
なお、凹部３２Ｄは、図１２（ａ）に示すように、把持部材３５の比較的薄肉とされた部分に対応する位置に形成されている。
【００４３】
本実施形態の魚釣用リールのツマミ３０によれば、把持部材３５を手の指で握持すると、凹部３２Ｄに沿って把持部材３５が弾性変形して凹む状態となるので、その弾性変形を利用して指で確実にツマミ３０（把持部材３５）を挟持することができる。したがって、握持性を向上させることができる。
【００４４】
なお、凹部３２Ｄは、図１３（ｂ）に示すように、周方向に等間隔で三つ設けてもよいし、図１３（ｃ）に示すように、周方向に等間隔で四つ設けてもよい。
また、本実施形態では、凹部３２Ｄを等間隔で設けたが、これに限られることはなく、異なる間隔で設けてもよい。
【００４５】
前記第１実施形態から第５実施形態において、把持部材３５は、一種類の同様の形状を有するものを用いたが、これに限られることはなく、種々の外形状を有するものを用いてもよい。
また、把持部材３５は、芯材３１，３１Ａ〜３１Ｄの全体を径方向から覆う大きさのものを用いたが、これに限られることなく、芯材３１，３１Ａ〜３１Ｄの一部分（複数部分）を径方向から覆う構成であってもよい。芯材３１，３１Ａ〜３１Ｄは、一部分が把持部材３５を通じて外部に露出するものであってもよい。
【００４６】
また、前記各実施形態では、円筒形状の芯材３１，３１Ａ〜３１Ｄを用いて外周面に凹部３２等を形成したものを示したが、これに限られることはなく、外周面に凹部を有する多角形状の芯材（例えば、断面の最大寸法が把持部材３５の内面３５ａの内径よりも大きい芯材）を用いてもよい。この場合、把持部材３５の外形状を芯材の形状に対応するものに変形することができ、一つの把持部材３５で芯材の形状に対応する複数種類のツマミ３０が得られ、バリエーションが広がる。
【００４７】
前記各実施形態では、スピニングリール１に適用されるツマミ３０について説明したが、同軸型の魚釣用リールのハンドルに設けられるツマミに対しても好適に適用することができる。
また、魚釣用リールに設けられるその他のツマミ、例えば、ブレーキツマミ等に対しても、前記各実施形態で示したツマミ３０を好適に適用することができる。
【符号の説明】
【００４８】
１      スピニングリール
５ａ    ハンドルアーム
２０    支軸
３０    ツマミ
３１    芯材
３１Ａ〜３１Ｄ  芯材
３２    凹部
３２Ａ〜３２Ｄ  凹部
３４    係止部
３５    把持部材
３５ａ  内面
Ｓ      スペース
【図１】
2015047109.tif 000003
【図２】
2015047109.tif 000004
【図３】
2015047109.tif 000005
【図４】
2015047109.tif 000006
【図５】
2015047109.tif 000007
【図６】
2015047109.tif 000008
【図７】
2015047109.tif 000009
【図８】
2015047109.tif 000010
【図９】
2015047109.tif 000011
【図１０】
2015047109.tif 000012
【図１１】
2015047109.tif 000013
【図１２】
2015047109.tif 000014
【図１３】
2015047109.tif 000015